(57)【要約】      （修正有）【課題】市販のティッシュペーパー箱の外側面と内側面を広告媒体として利用できるようにする。【解決手段】箱本体２の底面板１０の表側の面１０ａに、外部から見えるようにくじの抽選番号やクイズの問題を掲載したクイズくじ情報掲載欄５８をプリントし、該クイズくじ情報掲載欄５８と略同一位置の箱本体２の底面板１０の裏側の面に返信用はがきの宛名面を設ける。この宛名面に、返信用はがきの受取人情報掲載部を設け、該受取人情報掲載部に受取人の住所氏名をプリントする。箱本体２の底面板１０の表側及び裏側の面にクイズ宝くじ情報掲載欄５８及び受取人情報掲載部を囲む切取線５６を設け、該切取線５６から切り取った部分を返信用はがきとして使用できるようにする。【選択図】図１
0003141682.tif 000002
【実用新案登録請求の範囲】
【請求項１】
正面板４と背面板６と上面板８と底面板１０と側面板１２ａ，１２ｂ，１４ａ，１４ｂとのり付け片１６，１８，２０，２２，２４とから成り、直方体又は立方体に形成された箱本体２の内部に多数のティッシュペーパーが重層状態に収納され、各ティッシュペーパーを前記箱本体２の上面板８に設けられた取り出し用のスリット５４から順次引き出すように構成されたティッシュペーパー箱であって、前記箱本体２の前記底面板１０の表側の面１０ａに外部から見えるようにくじの抽選番号やクイズの問題を掲載したクイズくじ情報掲載欄５８をプリントし、該クイズくじ情報掲載欄５８と略同一位置の前記底面板１０の裏側の面１０ｂに返信用はがき６４の宛名面を設け、該宛名面に、返信用はがき６４の受取人情報掲載部６６を設け、該受取人情報掲載部６６に受取人の住所氏名をプリントし、前記底面板１０の表側及び／又は裏面側の面に前記クイズくじ情報掲載欄５８及び前記受取人情報掲載部６６を囲む切取線５６，６２を設け、該切取線５６，６２から切り取った部分を返信用はがき６４として使用できるようにしたことを特徴とするティッシュペーパー箱。
【請求項２】
前記箱本体２の表側の面の一部及び箱本体２の正面板４，背面板６，上面板８及び側面板１２ａ，１２ｂ，１４ａ，１４ｂの裏側の面を宣伝広告面としたことを特徴とする請求項１に記載のティッシュペーパー箱。
【請求項３】
前記返信用はがき６４の宛名面に返信者の住所氏名を含む返信者情報を記載するための返信者情報欄６８を設けたことを特徴とする請求項１に記載のティッシュペーパー箱。
【請求項４】
前記底面板１０の裏面の余白部分に宣伝広告欄７２を設けたことを特徴とする請求項１に記載のティッシュペーパー箱。
【考案の詳細な説明】
【技術分野】
【０００１】
本考案は、箱本体の表面側にくじの抽選番号や賞品や賞金付きのクイズの問題を印刷したティッシュペーパー箱に関する。
【背景技術】
【０００２】
ボックスティッシュの取り出し口の切り取り片と保護シートを特定の用途に利用し得る形態にすることが提案されている（例えば特許文献１参照）。この従来技術には、ボックスティッシュにおいて、収納箱上面に形成する切り取り部が郵便はがきの大きさに形成され、且つその切り取り片の表裏いずれかの面には、少なくとも郵便はがきの宛先等の表書き様式が印刷され、切り取り片をはがきとして利用することが開示されている。
【特許文献１】特開２００３−３２７２８０号公報
【考案の開示】
【考案が解決しようとする課題】
【０００３】
通常市販されているティッシュペーパー入りティッシュペーパー箱はそのメーカーの広告面として使用されているものはあるが、不特定の企業の宣伝媒体として使用されていない。そのため、ティッシュペーパー箱の販売価格はその製造費、原材料費等に基づいて決定され、広告掲載料はその価格に反映されていない。そのためティッシュペーパー箱を現在の販売価格より更に引き下げることは難しいのが現状である。
本考案は上記問題点を解決することを目的とするものである。
【課題を解決するための手段】
【０００４】
上記目的を達成するため本考案は、正面板４と背面板６と上面板８と底面板１０と側面板１２ａ，１２ｂ，１４ａ，１４ｂとのり付け片１６，１８，２０，２２，２４とから成り、直方体又は立方体に形成された箱本体２の内部に多数のティッシュペーパーが重層状態に収納され、各ティッシュペーパーを前記箱本体２の上面板８に設けられた取り出し用のスリット５４から順次引き出すように構成されたティッシュペーパー箱であって、前記箱本体２の前記底面板１０の表側の面１０ａに外部から見えるようにくじの抽選番号やクイズの問題を掲載したクイズくじ情報掲載欄５８をプリントし、該クイズくじ情報掲載欄５８と略同一位置の前記底面板１０の裏側の面１０ｂに返信用はがき６４の宛名面を設け、該宛名面に、返信用はがき６４の受取人情報掲載部６６を設け、該受取人情報掲載部６６に受取人の住所氏名をプリントし、前記底面板１０の表側及び／又は裏面側の面に前記クイズくじ情報掲載欄５８及び前記受取人情報掲載部６６を囲む切取線５６，６２を設け、該切取線５６，６２から切り取った部分を返信用はがき６４として使用できるようにしたものである。
また本考案は、前記箱本体２の表側の面の一部及び箱本体２の正面板４，背面板６，上面板８及び側面板１２ａ，１２ｂ，１４ａ，１４ｂの裏側の面を宣伝広告面としたものである。
また本考案は、前記返信用はがき６４の宛名面に返信者の住所氏名を含む返信者情報を記載するための返信者情報欄６８を設けたものである。
また本考案は、前記底面板１０の裏面の余白部分に宣伝広告欄７２を設けたものである。
【考案の効果】
【０００５】
本考案は、通常市販されているティッシュペーパー入りティッシュペーパー箱に、不特定の企業とタイアップして、クイズやくじ等で懸賞品が当たる、応募用のはがきの付いた、企業の宣伝広告を載せることでメーカー側は企業から広告掲載料をもらうことができる。そのため、この広告掲載料をティッシュペーパー箱の商品価格に反映させることで、ティッシュペーパー箱の値段を下げることができ、しかもメーカー側は広告掲載料で利益を得ることができる。
【考案を実施するための最良の形態】
【０００６】
以下に本考案の実施の形態を添付した図面を参照して詳細に説明する。
図１は本考案に係るティッシュペーパー箱の箱本体２を平面状に展開した表面図を示している。紙製の箱本体２は、正面板４と、背面板６と、上面板８と、底面板１０と、側面板１２ａ，１２ｂ，１４ａ，１４ｂと、のり付け片１６，１８，２０，２２とから構成されている。
【０００７】
これら箱本体２の各部の境界には、折り曲げ部２６，２８，３０，３２，３４，３６，３８，４０，４２，４４が設けられ、箱本体２の組み立て時、箱本体２各部の境界を容易に屈折させて、箱本体２を直方体から成る箱状にすることができるように構成されている。箱本体２は、組み立て工程で前記折り曲げ部２６〜４４を基準として、所定の方向に屈折され箱状とされ、内部にティッシュペーパー（図示省略）が収納される。
【０００８】
また更に、のり付け片１６，１８，２０，２２，２４や側面板１２ａ，１２ｂ間及び側面板１４ａ，１４ｂ間にのり付けが行われて図３に示すティッシュペーパー入りティッシュペーパー箱が完成する。箱本体２の上面板８の中央部には、カット線５０によって囲まれた切取部が設けられ、この切取部をカット線５０に沿って切除すると開口部となる。
【０００９】
この開口部は、上面板８の裏面側に貼り付けられているフイルム状の合成樹脂シート５２により閉塞されており、この合成樹脂シート５２の中央部に箱本体２の長手方向に直線状のスリット５４が設けられいる。ティッシュペーパー箱の内部に収納されているティッシュペーパー（図示省略）はこのスリット５４を通して断続的に順次引き出せるようにしてある。
【００１０】
前記底面板１０の外側即ち表側１０ａには、はがき大のスペースが切取線５６で囲まれ、切取線５６で囲まれた枠の中に、景品や賞金等の付いたクロスワードパズル問題や絵柄、漢字クイズなどのクイズやくじの情報が掲載されたクイズくじ情報掲載欄５８がプリントされている。
【００１１】
このくじは数字や文字、絵柄などで構成され、後日抽選方式等が採用される。前記切取線５６で囲まれた枠内にプリントされたクイズくじ情報掲載欄５８は、クイズくじ応募用のはがきの裏面を構成している。前記底面板１０の外側の面１０ａには、枠内と枠外に、宣伝広告欄５９，６０が設けられ、他の、正面板４、上面板８、背面板６及び側面板１２ａ，１２ｂ，１４ａ，１４ｂの外側の各面も、宣伝広告面を構成している。
【００１２】
図２は、箱本体２の展開裏面図を示している。前記底面板１０の内側即ち裏側の面１０ｂには、切取線６２がプリントされ、この切取線６２で囲まれた領域が、郵便番号欄等の所定のはがき様式がプリントされた返信用はがき６４の宛名面を形成している。返信用はがき６４の宛名面には、くじやクイズの提供企業又はその代理人である受取人の情報が記載された受取人情報掲載部６６と、返信者情報欄６８と、アンケート記載欄７０がプリントされている。
【００１３】
前記返信者情報欄６８には、返信者の住所、氏名、電話番号等の返信者情報を書き込むための空欄が設けられ、アンケート記載欄７０には、アンケートの質問と返信者がアンケートの回答を書き込む欄が設けられている。前記箱本体２の内側の面１０ｂには、宣伝広告欄７２，７３やクイズやくじの応募方法や抽選日などが記載された情報掲載欄７５が設けられている。
【００１４】
前記底面板１０の外側の面１０ａと内側の面１０ｂにプリントされたキリトリ線５６，６２は同一の位置にプリントされており、底面板１０の表裏いずれの面からも切取線５６，６２を基準として、箱本体２から返信用はがき６４を切り取ることができるようになっている。
【００１５】
店に陳列された上記箱本体２を用いたティッシュペーパー入りティッシュペーパー箱の外側の面のクイズやくじに関するクイズくじ情報掲載欄５８の記載を見て興味を持ち、購入した消費者は、使用後、空になった箱本体２を展開状態とする。次に切取線５６又は６２に沿って、箱本体２の底面板１０をハサミで切断し、返信用はがき６４を箱本体２から切り取る。
【００１６】
この切り取った返信用はがき６４の返信者情報欄６８に、応募者の住所氏名そのた必要な事項を記入した後、返信用はがき６４を投函する。返信用はがき６４を受け取った側はクイズやくじの応募はがきの数によって宣伝広告効果を確認することができる。
【図面の簡単な説明】
【００１７】
【図１】本考案に係るティッシュペーパー箱の展開した状態の表面側の平面図である。
【図２】同上裏面側の平面図である。
【図３】ティッシュペーパー箱の底面方向から見た外観図である。
【符号の説明】
【００１８】
２      箱本体
４      正面板
６      背面板
８      上面板
１０    底面板
１２ａ  側面板
１２ｂ  側面板
１４ａ  側面板
１４ｂ  側面板
１６    のり付け片
１８    のり付け片
２０    のり付け片
２２    のり付け片
２４    のり付け片
２６    折り曲げ部
２８    折り曲げ部
３０    折り曲げ部
３２    折り曲げ部
３４    折り曲げ部
３６    折り曲げ部
３８    折り曲げ部
４０    折り曲げ部
４２    折り曲げ部
４４    折り曲げ部
４６    折り曲げ部
４８    折り曲げ部
５０    カット線
５２    合成樹脂シート
５４    スリット
５６    切取線
５８    クイズくじ情報掲載欄
６０    宣伝広告欄
６２    切取線
６４    返信用はがき
６６    受取人情報掲載部
６８    返信者情報欄
７０    アンケート記載欄
７２    宣伝広告欄
【図１】
0003141682.tif 000003
【図２】
0003141682.tif 000004
【図３】
0003141682.tif 000005